(57)【特許請求の範囲】
【請求項１】
水・空気接触器を用いて吸込み空気に対して冷水または温水を散水することにより飽和状態とする一次処理と、二次処理用熱交換器を用いて加熱することにより所望の相対湿度とする二次処理とを実行可能であり、予め設定された温度および湿度での恒温恒湿空調を可能とした水・空気接触型空気調和機の制御方法であって、
吹出し空気の温度および湿度に対し、予め定められた許容範囲を有する目標温湿度範囲を設定し、
前記水・空気接触器を通過した後の空気に対する設定温度として吸込み空気の湿球温度を設定する一方、吸込み空気の湿球温度が前記目標温湿度範囲の絶対湿度の上限に対応する飽和空気の湿球温度を超える場合には、当該上限に対応する飽和空気の湿球温度を設定温度として設定し、吸込み空気の湿球温度が前記目標温湿度範囲の絶対湿度の下限に対応する飽和空気の湿球温度を下回る場合には、当該下限に対応する飽和空気の湿球温度を設定温度として設定し、
前記二次処理用熱交換器を通過した後の空気に対する設定温度として、前記水・空気接触器を通過した後の空気の絶対湿度に等しく、且つ、前記目標温湿度範囲内となる温度を設定することを特徴とする水・空気接触型空気調和機の制御方法。
【請求項２】
前記二次処理用熱交換器を通過した後の空気に対する設定温度として、前記水・空気接触器を通過した後の空気の絶対湿度に等しく、且つ、前記目標温湿度範囲内において最小となる温度を設定することを特徴とする請求項１記載の水・空気接触型空気調和機の制御
方法。
【請求項３】
水・空気接触器を用いて吸込み空気に対して冷水または温水を散水することにより飽和状態とする一次処理と、二次処理用熱交換器を用いて加熱することにより所望の相対湿度とする二次処理とを実行可能であり、予め設定された温度および湿度での恒温恒湿空調を可能とした水・空気接触型空気調和機であって、
吹出し空気の温度および湿度に対し、予め定められた許容範囲を有する目標温湿度範囲が設定され、
前記水・空気接触器を通過した後の空気に対する設定温度として吸込み空気の湿球温度が設定される一方、吸込み空気の湿球温度が前記目標温湿度範囲の絶対湿度の上限に対応する飽和空気の湿球温度を超える場合には、当該上限に対応する飽和空気の湿球温度が設定温度として設定され、吸込み空気の湿球温度が前記目標温湿度範囲の絶対湿度の下限に対応する飽和空気の湿球温度を下回る場合には、当該下限に対応する飽和空気の湿球温度が設定温度として設定され、
前記二次処理用熱交換器を通過した後の空気に対する設定温度として、前記水・空気接触器を通過した後の空気の絶対湿度に等しく、且つ、前記目標温湿度範囲内となる温度が設定されることを特徴とする水・空気接触型空気調和機。
【請求項４】
水・空気接触器を用いて吸込み空気に対して冷水または温水を散水することにより飽和状態とする一次処理と、二次処理用熱交換器を用いて加熱することにより所望の相対湿度とする二次処理とを実行可能であり、予め設定された温度および湿度での恒温恒湿空調を可能とした水・空気接触型空気調和機を制御する制御器であって、
吹出し空気の温度および湿度に対し、予め定められた許容範囲を有する目標温湿度範囲を設定し、
前記水・空気接触器を通過した後の空気に対する設定温度として吸込み空気の湿球温度を設定する一方、吸込み空気の湿球温度が前記目標温湿度範囲の絶対湿度の上限に対応する飽和空気の湿球温度を超える場合には、当該上限に対応する飽和空気の湿球温度を設定温度として設定し、吸込み空気の湿球温度が前記目標温湿度範囲の絶対湿度の下限に対応する飽和空気の湿球温度を下回る場合には、当該下限に対応する飽和空気の湿球温度を設定温度として設定し、
前記二次処理用熱交換器を通過した後の空気に対する設定温度として、前記水・空気接触器を通過した後の空気の絶対湿度に等しく、且つ、前記目標温湿度範囲内となる温度を設定することを特徴とする水・空気接触型空気調和機の制御器。
【請求項５】
水・空気接触器を用いて吸込み空気に対して冷水または温水を散水することにより飽和状態とする一次処理と、二次処理用熱交換器を用いて加熱することにより所望の相対湿度とする二次処理とを実行可能であり、予め設定された温度および湿度での恒温恒湿空調を可能とした水・空気接触型空気調和機の制御器に、
吹出し空気の温度および湿度に対し、予め定められた許容範囲を有する目標温湿度範囲を設定する処理と、
前記水・空気接触器を通過した後の空気に対する設定温度として吸込み空気の湿球温度を設定する一方、吸込み空気の湿球温度が前記目標温湿度範囲の絶対湿度の上限に対応する飽和空気の湿球温度を超える場合には、当該上限に対応する飽和空気の湿球温度を設定温度として設定し、吸込み空気の湿球温度が前記目標温湿度範囲の絶対湿度の下限に対応する飽和空気の湿球温度を下回る場合には、当該下限に対応する飽和空気の湿球温度を設定温度として設定する処理と、
前記二次処理用熱交換器を通過した後の空気に対する設定温度として、前記水・空気接触器を通過した後の空気の絶対湿度に等しく、且つ、前記目標温湿度範囲内となる温度を設定する処理と、
を実行させることを特徴とする水・空気接触型空気調和機の制御プログラム。
【発明の詳細な説明】
【技術分野】
【０００１】
本発明の実施形態は、恒温恒湿制御が可能な水・空気接触型空気調和機の制御方法、水・空気接触型空気調和機、水・空気接触型空気調和機の制御器、水・空気接触型空気調和機の制御プログラムに関する。
【背景技術】
【０００２】
散水装置等を用いて吸込み空気に対して冷水または温水を散水して予め設定された目標絶対湿度の飽和状態とする一次処理を施した後、二次熱交換器にて加熱して予め設定された目標相対湿度とする二次処理を施すことにより、所定温度および所定湿度の吹出し空気を供給する恒温恒湿空調を可能とした水・空気接触型空気調和機が知られている（例えば、特許文献１参照）。
【先行技術文献】
【特許文献】
【０００３】
【特許文献１】特許第３１３５０１７号公報
【発明の概要】
【発明が解決しようとする課題】
【０００４】
このような水・空気接触型空気調和機の場合、ユーザによって吹き出し空気の乾球温度及び相対湿度が設定され、一次処理後の空気温度は設定値の露点温度に制御され、二次熱交換器後の温度は設定乾球温度に制御される。しかしながら、ユーザによって要求される乾球温度及び相対湿度が各々ある範囲にあればよいとされる場合がある場合において従来の制御では、夏季と冬季の乾球温度・湿球温度が設定され、ユーザがどちらかを選択していた。このような制御では、外気の状態変化によって要求乾球温度・相対湿度を維持できない場合があるとともに、ユーザによる乾球温度と相対湿度の設定変更や一次処理用熱源機の冷却加熱モードの切り替えが必要となる。また、常に一次処理後の空気温度を一定に保つために冷却あるいは加熱の負荷が発生する。
【０００５】
そこで、外気の乾球温度・相対湿度を計測し、ユーザが要求する乾球温度・相対湿度の範囲内で最も省エネとなる制御を提供するとともに、制御を自動化してユーザの利便性を向上できる水・空気接触型空気調和機の制御方法、水・空気接触型空気調和機、水・空気接触型空気調和機の制御器、水・空気接触型空気調和機の制御プログラムを提供する。
【課題を解決するための手段】
【０００６】
実施形態による水・空気接触型空気調和機の制御方法は、前記吹出し空気の温度および湿度に対し、予め定められた許容範囲を有する目標温湿度範囲を設定し、前記水・空気接触器を通過した後の空気に対する設定温度として吸込み空気の湿球温度を設定する一方、吸込み空気の湿球温度が前記目標温湿度範囲の絶対湿度の上限に対応する上限温度を超える場合には、当該上限温度を設定温度として設定し、吸込み空気の湿球温度が前記目標温湿度範囲の絶対湿度の下限に対応する下限温度を下回る場合には、当該下限温度を設定温度として設定し、前記二次処理用熱交換器を通過した後の空気に対する設定温度として、前記水・空気接触器を通過した後の空気の絶対湿度に等しく、且つ、前記目標温湿度範囲内となる温度を設定する。
【図面の簡単な説明】
【０００７】
【図１】実施形態の水・空気接触型空気調和機の構成を模式的に示す図
【図２】空気線図上における目標温湿度範囲、散水装置に対する設定温度および二次熱交換器に対する設定温度の設定例を示す図
【図３】設定処理の流れを示す図
【図４】吸い込み空気の湿球温度が散水装置の設定温度範囲内である場合の空気の状態の遷移例を示す図
【図５】吸い込み空気の湿球温度が散水装置の設定温度範囲外である場合の空気の状態の遷移例を示す図
【発明を実施するための形態】
【０００８】
以下、実施形態について図１から図５を参照しながら説明する。
図１に示すように、水・空気接触型空気調和機（以下、空調機１と称する）は、水・空気接触器としての散水装置２、二次処理用熱交換器（以下、二次熱交換器３と称する）、送風機４、吸込み空気から埃等を除去するフィルタ５、散水装置２を経由した空気からミストを除去するエリミネータ６等を備えている。この空調機１は、所定温度および所定湿度の吹出し空気を供給する恒温恒湿空調を可能としたものである。
【０００９】
また、空調機１は、吸入口７に対応して設けられている入口温度センサ８および入口湿度センサ９、吹出口１０に対応して設けられている吹出口温度センサ１１および吹出口湿度センサ１２、およびエリミネータ６と二次熱交換器３との間に設けられている中間温度センサ１３を備えている。本実施形態では、吸込み空気は、外気を想定している。また、吹出し空気は、静電塗装等を行う塗装ブース等への供給を想定している。ただし、吹出し空気の供給先はこれに限定されるものではない。
【００１０】
散水装置２は、吸入口７から吸入されてフィルタ５を通過した空気に、複数設けられているノズル１４から散水する。また、散水装置２は、散水後に水槽１５に溜まった水を散水ポンプ１６にて循環させ、ノズル１４から再び散水する。これらノズル１４、水槽１５、散水ポンプ１６等から構成される散水経路１７には、一次処理用熱交換器（以下、一次熱交換器１８と称する）が設けられている。また、水槽１５には図示しない給水管及び排水管が接続されており、不足した水を外部から供給し、不要な水を排水するように構成されている。
【００１１】
一次熱交換器１８は、一次処理用熱源機１９、三方弁２０および一次処理用ポンプ２１等で構成された一次循環経路２２内に設けられている。そして、一次熱交換器１８は、一次処理用熱源機１９によって冷却または加熱された流体と、散水経路１７を循環する水との間で熱エネルギーを交換することにより、散水経路１７を流れる水を加熱あるいは冷却する。これにより、散水装置２は、所定の一定温度で散水を行うことが可能となる。
【００１２】
吸入口７から吸入された空気は、所定温度の水、より具体的には、吸い込み空気よりも温度が低い冷水あるいは吸い込み空気よりも温度が高い温水と直接的に接触することにより、所定温度の飽和状態となる。この処理が、一次処理に相当する。
【００１３】
二次熱交換器３は、二次処理用熱源機２３および二次処理用ポンプ２４等で構成された二次循環経路２５内に設けられており、散水装置２を通過した空気、本実施形態ではエリミネータ６を通過した空気を加熱することが可能となっている。これにより、一次処理にて飽和状態とされた空気は、二次熱交換器３と接触することにより、所定の温度且つ所定の相対湿度の空気となる。この飽和状態とした空気を所定の温度および所定の湿度（以下、目標湿度と称する）とする処理が、二次処理に相当する。
【００１４】
なお、詳細は後述するが、本実施形態では、二次熱交換器３によって散水装置２を通過した空気を加熱することのみによって吹き出し空気が所望の温度且つ所望の相対湿度となるようにしている。つまり、本実施形態では、二次熱交換器３は、常に加熱モードで動作しており、冷却モードと切り替わることはない。
【００１５】
上記した各構成は、図示しないプログラマブルロジックコントローラやグループ制御コントローラ等の中央制御器３０に接続されており、各センサの検知結果に基づいて動作が制御されているこの中央制御器３０は、水・空気接触型空気調和機を制御する制御器に相当する。
【００１６】
次に、上記した構成の作用について説明する。
空調機１は、上記した一次処理および二次処理が実行可能であり、吸入口７から吸入した空気の温度および湿度を調整して、吹出口１０から室内に吹き出し空気として供給している。このとき、吹き出し空気に必要とされる温度および湿度は、ユーザによって予め設定されている。また、一般的に、吹き出し空気に必要とされる温度および湿度は、予め定められた許容範囲を有している。具体的には、吹き出し空気に必要とされる温度および湿度は、相対湿度の上限値と下限値、および乾球温度の上限値と下限値が規定されており、それらに囲まれた領域が許容範囲となっている。以下、吹き出し空気に必要とされる温度および湿度の範囲を目標温湿度範囲（Ｒ。図２参照）と称する。
【００１７】
さて、従来の制御方法では、一次処理において冷却あるいは加熱を行いつつ飽和状態とするとともに、二次処理において加熱を行うことで、所望の吹き出し空気を供給していた。
【００１８】
そのため、従来の制御方法では一次処理用熱源機１９が冷却モードであるとき、吸込み空気のエンタルピが設定した一次処理後の温度の飽和空気のエンタルピより小さいとき、加熱が必要であるにもかかわらず冷却しかできないため、一次処理後の空気温度を設定温度に制御することができず、結果として二次処理後の相対湿度が設定値を逸脱する場合がある。同様に一次処理用熱源機１９が加熱モードであるとき、吸込み空気のエンタルピが設定した一次処理後の温度の飽和空気のエンタルピより大きいとき、冷却が必要であるにもかかわらず加熱しかできないため、一次処理後の空気温度を設定温度に制御することができず、結果として二次処理後の相対湿度が設定値を逸脱する場合がある。
【００１９】
つまり、従来の制御方法では、ユーザによる熱源機の運転モードの切り替えが適切に行わなければ温度の制御が不連続あるいは不可能となる状態が存在し、その結果、二次熱交換器３を通過した後の空気つまりは吹出し空気が目標とする相対湿度から外れてしまうおそれがあった。
【００２０】
そこで、本実施形態では、以下に説明する制御方法により、所望の温度の吹き出し空気を得ることができるようにしている。
まず、目標温湿度範囲（Ｒ）は、空気線図上に示すと、図２に示す点Ｒ１〜Ｒ４で囲まれた範囲となる。具体的には、点Ｒ１は、許容される相対湿度の上限且つ許容される乾球湿度の上限を示している。点Ｒ２は、点Ｒ１と同一の相対湿度であって許容される乾球湿度の下限を示している。点Ｒ３は、許容される相対湿度の下限且つ許容される乾球湿度の下限を示している。点Ｒ４は、点Ｒ３と同一の相対湿度であって許容される乾球湿度の上限を示している。
【００２１】
図３は、水・空気接触型空気調和機の制御プログラムの一部を抜粋したものであり、一次処理および二次処理に対する温度設定の処理の流れを示している。この制御プログラムは、中央制御器３０において実行される。
【００２２】
中央制御器３０は、まず、吸い込み吸気の状態を取得する（Ｓ１）。具体的には、中央制御器３０は、入口温度センサ８および入口湿度センサ９の出力から、吸い込み空気の温度および湿度を取得する。このとき、吸い込み空気の状態が例えば図４に示す点Ｐ１０であったとする。続いて、中央制御器３０は、吸い込み空気の湿球温度を算出する（Ｓ２）。具体的には、中央制御器３０は、点Ｐ１０を通る湿球線上の飽和状態点（点Ｐ１０Ａ）の湿球温度を算出する。
【００２３】
そして、中央制御器３０は、算出した湿球温度が上限温度を超えるか否かを判定する（Ｓ３）。ここで、上限温度とは、目標温湿度範囲（Ｒ）の絶対湿度の上限に対応する湿球温度、つまりは、飽和状態において絶対湿度が目標温湿度範囲（Ｒ）の絶対湿度の上限に等しい状態（点Ｐ１。図２参照）の温度である。図４に示す点Ｐ１０の場合、その湿球温度は、点Ｐ１の温度よりも低くなっている。
【００２４】
そのため、中央制御器３０は、湿球温度が上限温度を超えていないと判定し（Ｓ３：ＮＯ）、湿球温度が下限温度を下回っているか否かをさらに判定する（Ｓ４）。ここで、下限温度とは、目標温湿度範囲（Ｒ）の絶対湿度の下限に対応する湿球温度、つまりは、飽和状態において絶対湿度が目標温湿度範囲（Ｒ）の絶対湿度の下限に等しい状態（点Ｐ２。図２参照）の温度である。図４に示す点Ｐ１０の場合、その湿球温度は、点Ｐ２の温度よりも高くなっている。
【００２５】
このため、中央制御器３０は、湿球温度が下限温度を下回っていないと判定し（Ｓ４：ＮＯ）、ステップＳ２にて算出した湿球温度を、散水装置２の設定温度として設定する（Ｓ５）。なお、図４に示す点Ｐ１１あるいは点Ｐ１２の場合にも、その飽和状態（点Ｐ１１Ａ、点Ｐ１２Ａ）での温度である湿球温度は上限温度と下限温度との間であるので、吸い込み空気の状態が点Ｐ１１あるいは点Ｐ１２の場合も、同様に吸い込み空気の湿球温度が散水装置２の設定温度として設定される。
【００２６】
これに対して、吸い込み空気の状態が例えば図５に示す点Ｐ１３であった場合、その湿球温度は、飽和状態（点Ｐ１３Ａ）での温度であり、上限温度を超えている。また、点Ｐ１４の場合も、その湿球温度が上限温度を超えている。この場合、中央制御器３０は、ステップＳ３において湿球温度が上限温度を超えていると判定することから（Ｓ３：ＹＥＳ）、上限温度を散水装置２の設定温度として設定する（Ｓ７）。
【００２７】
あるいは、吸い込み空気の状態が例えば図５に示す点Ｐ１５であった場合、その湿球温度は、飽和状態（点Ｐ１５Ａ）での温度であり、下限温度を下回っている。そのため、中央制御器３０は、ステップＳ４において湿球温度が下限温度を下回っていると判定することから（Ｓ４：ＹＥＳ）、下限温度を散水装置２の設定温度として設定する（Ｓ８）。
【００２８】
すなわち、本実施形態では、中央制御器３０は、散水装置２を通過した後の空気に対する設定温度として、吸込み空気の湿球温度を設定する一方、吸込み空気の湿球温度が上限温度を超える場合には、当該上限温度を設定温度として設定し、吸込み空気の湿球温度が下限温度を下回る場合には、当該下限温度を設定温度として設定する。
【００２９】
このように散水装置２の設定温度を設定することにより、散水装置２を通過した後の空気つまりは一次処理を施された状態の空気は、その絶対湿度が目標温湿度範囲内となった状態で飽和することになる。そして、絶対湿度が目標温湿度範囲内となっていることから、その空気を目標温湿度範囲内まで遷移させる場合には、二次熱交換器３によって加熱を行えばよいことになる。換言すると、このような制御方法によれば、一次処理後の温度の設定値が常に連続しており、制御が不連続あるいは不可能になる状態を回避することができる。
【００３０】
散水装置２の設定温度を設定すると、中央制御器３０は、二次熱交換器３を通過した後の空気に対する設定温度、つまりは、二次処理を施す二次熱交換器３に対する設定温度を設定する。具体的には、中央制御器３０は、散水装置２の設定温度から二次熱交換器３の設定温度を算出して設定する（Ｓ６）。
【００３１】
また、本実施形態では、中央制御器３０は、二次熱交換器３を通過した後の空気に対する設定温度として、散水装置２を通過した後の空気の絶対湿度に等しく、且つ、目標温湿度範囲（Ｒ）内において最小となる乾球温度を設定する。このとき設定される温度は、目標温湿度範囲（Ｒ）の頂点のうち点Ｒ１と点Ｒ２とを繋ぐ線上、または、点Ｒ２と点Ｒ３とを繋ぐ線上の値に相当する。より平易に言えば、飽和状態点（点Ｐ１０Ａ、点Ｐ１等）を通り横方向に延びる仮想線が最初に目標温湿度範囲（Ｒ）と交差する点の温度が設定される。換言すると、中央制御器３０は、飽和状態の空気を目標温湿度範囲（Ｒ）まで遷移させる際に最も加熱負荷が小さくなる温度を設定する。これにより、省エネを図ることができる。
【００３２】
このように、本実施形態の空調機１では、絶対湿度が目標温湿度範囲（Ｒ）の絶対湿度の上限と下限との間になるような設定にて一次処理を施し、一次処理が施されて飽和状態となった空気を二次熱交換器３により加熱のみによって目標温湿度範囲（Ｒ）の状態まで遷移させることにより、二次熱交換器３のモードの切り替えを不要にしている。そして、この設定温度に基づいて、図示は省略するが、一次処理および二次処理の実行を制御している。
【００３３】
以上説明した実施形態によれば、次のような効果を得ることができる。
実施形態の制御方法は、予め定められた許容範囲を有する目標温湿度範囲（Ｒ）を設定し、散水装置２（水・空気接触器）を通過した後の空気に対する設定温度として、吸込み空気の湿球温度を設定する一方、吸込み空気の湿球温度が上限温度を超える場合には当該上限温度を設定温度として設定し、吸込み空気の湿球温度が下限温度を下回る場合には当該下限温度を設定温度として設定する。そして、二次熱交換器３（二次熱交換器）を通過した後の空気に対する設定温度として、散水装置２を通過した後の空気の絶対湿度に等しく、且つ、目標温湿度範囲（Ｒ）内となる温度を設定する。
【００３４】
このような制御方法により空調機１を制御することにより、散水装置２を通過した後の空気は、その絶対湿度が目標温湿度範囲内となった状態で飽和する。そして、散水装置２を通過した後の空気の絶対湿度が目標温湿度範囲内となっていることから、その状態の空気を目標温湿度範囲（Ｒ）内まで遷移させる際には、二次熱交換器３によって加熱を行えばよい。
【００３５】
すなわち、このような制御方法によれば吸込み空気の湿球温度が目標温湿度範囲の絶対湿度の上下限の範囲内にあるとき、散水装置を通過する空気は断熱加湿されて等湿球温度の飽和状態となるため、このプロセスで一次処理用熱源機１９に冷却加熱負荷が発生しない。また吸込み空気の湿球温度が目標温湿度範囲の絶対湿度の上下限範囲外にある時に冷却または加熱負荷が発生する。よって、上記した制御が不連続あるいは不可能になる状態を回避することができる。したがって、所望の温度の吹き出し空気を得ることができる。
【００３６】
また、実施形態の制御方法では、二次熱交換器３を通過した後の空気に対する設定温度として、散水装置２を通過した後の空気の絶対湿度に等しく、且つ、目標温湿度範囲（Ｒ）内において最小となる温度を設定する。これにより、加熱負荷を低減しつつ、制御性を向上させることができる。
【００３７】
また、このような制御方法を採用した空調機１も、一次処理用熱源機１９の冷却加熱モードの負荷との不一致によって生じてしまう上記した制御が不連続あるいは不可能になる状態を回避することができ、所望の温度の吹き出し空気を得ることができる等、上記した制御方法と同様の効果を得ることができる。
【００３８】
また、このような制御方法で空調機１を制御する中央制御器３０によっても、一次処理用熱源機１９の冷却加熱モードの負荷との不一致によって生じてしまう上記した制御が不連続あるいは不可能になる状態を回避することができ、所望の温度の吹き出し空気を得ることができる等、上記した制御方法と同様の効果を得ることができる。
【００３９】
また、このような制御方法を中央制御器３０にて実現するための制御プログラムによっても、一次処理用熱源機１９の冷却加熱モードの負荷との不一致によって生じてしまう上記した制御が不連続あるいは不可能になる状態を回避することができ、所望の温度の吹き出し空気を得ることができる等、上記した制御方法と同様の効果を得ることができる。
【００４０】
（その他の実施形態）
本発明は、上記した実施形態にて例示したものに限定されることなく、その範囲を逸脱しない範囲で任意に例えば以下のように変形あるいは拡張することができる。
【００４１】
実施形態で示した数値はいずれも例示であり、これに限定されない。
実施形態で示した処理の流れは一例であり、齟齬が生じなければその順序を変更することができる。例えばステップＳ２の後にまず湿球温度を設定し、その湿球温度が上限温度を超える場合には上限温度を再設定したりする構成としてもよい。下限温度についても同様である。
【００４２】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
図面中、１は空調機（水・空気接触型空気調和機）、２は散水装置（水・空気接触器）、３は二次熱交換器（二次処理用熱交換器）、３０は中央制御器（制御器）を示す。
【図１】
0006788383.tif 000002
【図２】
0006788383.tif 000003
【図３】
0006788383.tif 000004
【図４】
0006788383.tif 000005
【図５】
0006788383.tif 000006